(57)【要約】【課題】服の前後裏表の区別が難しい発達障害児（者）、幼児などが、一人で着用可能で、かつ、デザイン性を確保した衣服を提供する。【解決手段】衣服のデザイン性を可能な限り崩すことなく、衣服の前・後においてリバーシブル機能を有し、かつ、衣服の裏・表においてリバーシブル機能を有する構造を有する衣服とし、筒状胴部の身幅と筒状胴部と袖の間はラグラン調の縫製部分の幅を広く形成する。また、衣服の筒状胴部と袖との縫合部分および筒状胴部における前身頃と後身頃との縫合部分を折り伏せ縫いにより縫合する。【選択図】  図３
0003235053.tif 000002
【実用新案登録請求の範囲】
【請求項１】
衣服のデザイン性を確保しつつ、衣服の前・後においてリバーシブル機能を有し、かつ、衣服の裏・表においてリバーシブル機能を有する構造からなる衣服。
【請求項２】
筒状胴部の身幅と筒状胴部と袖の間はラグラン調の縫製部分の幅が広く形成されていることを特徴とする請求項１に係る衣服。
【請求項３】
衣服の筒状胴部と袖との縫合部分および筒状胴部における前身頃と後身頃との縫合部分が折り伏せ縫いにより縫合されていることを特徴とする請求項１もしくは請求項２に係る衣服。
【考案の詳細な説明】
【技術分野】
【０００１】
本考案は、衣服の前後裏表の区別をすることに困難を伴う発達障害児若しくは発達障害者、幼児など、服の着脱に介助が必要となる者を対象とした衣服に関する。
【背景技術】
【０００２】
従来までの既製衣料品は、図１に示すように、上部に襟穴２および左右のアームホール３を有し下部に裾開口４を有する筒状胴部５と、筒状胴部５の左右のアームホールに縫着された袖６と、筒状胴部５の襟穴に縫着された襟７とを備えて構成されている。筒状胴部５は、前身頃８と後身頃がそれぞれの左右辺部で縫合されて縫合部分９となり、上下方向の筒状に形成されている。筒状胴部５と袖６，６の間はラグラン調の縫製部分１０となっている。これらの身幅H１、裾幅J１、着丈T１は、すべて日本興業規格に規定されている「既製衣料品のサイズ（年齢別の基本身体寸法に対応）」に基づいて算出された寸法である。
【０００３】
図２は、同じく従来までの既製衣料品であり、一般的には普通袖と呼ばれるセットイン・スリーブの衣服の例である。図２の筒状胴部の身幅Ｈ２と筒状胴部１２と袖１３の縫合部分１４の幅は、ラグラン調の衣服と比べると狭くなっている。
【０００４】
介護を要する者の衣服は、多数、発明もしくは考案（以下、考案という。）されており、これらは全て介護を要する者の衣服の着脱が容易となるように考案されている。例えば、
【特許文献１】に示すように、着脱が容易となるように面ファスナーを多用して、衣服が前後の分割できるような構造を特徴とする要介護者用の衣服があり、
【特許文献２】に示すように、衣服を左右に分割する構造を有することを特徴とする要介護者用の衣服、
【特許文献３】に示すように、頭や腕を通しやすいように襟、袖部分が大きく開くよう工夫がされている衣服に係る考案がある。
【先行技術文献】
【特許文献】
【０００５】
【特許文献１】特開２００７−１５４３２５
【特許文献２】実登３１６７３４９
【特許文献３】実登３１９２１４３
【考案の概要】
【考案が解決しようとする課題】
【０００６】
日本工業規格に基づく衣服の寸法は、年齢別の基本身体寸法に基づいており、自ら衣服を着脱することに困難を伴う発達障害児（者）、幼児など、服の着脱に介助が必要となる者は想定されていない。したがって、日本工業規格に基づいて制作され図１もしくは図２に示す既製衣料品は、一般の需要者、つまり年齢別の基本身体寸法に合致する者にとっては容易に着衣出来るものであるが、自ら衣服を着脱することに困難を伴う発達障害児もしくは発達障害者、幼児など、服の着脱に介助が必要となる者にとっては著しく困難を伴う仕様となっている。
【０００７】
こうした理由から、特許文献に示したように、要介護者用の衣服について多数の考案が公開されているが、これらの考案は、要介護者用の衣服ではあるが、あくまで介護する側にとって着脱させやすいことを目的として考案されており、自ら衣服を着脱することに困難を伴う要介護者が自力で着脱する仕様にはなっていない。
【０００８】
衣服の着脱行為は、日々の生活に必要な基本行為であり、その人格形成に影響を与える。幼児等は、衣服の着脱行為の積み重ねによって自らの自尊心を養う。保護者や支援者の服の介助が必要になる結果、その衣服の着用の過程において、着衣者が自ら着脱しようとする試みを阻害するのみならず、自ら着脱しようと試みる着衣者の自尊心を傷つける。同時に、衣服は衣服の外観つまりはデザイン性も重視される。機能性において優れた衣服であっても、外観においてデザイン性を欠く衣服であっては実際に着用する対象とはならない。
【０００９】
本考案において解決しようとする課題は、衣服のデザイン性を可能な限り崩すことなく、衣服の着脱に困難を伴う発達障害児若しくは発達障碍者、幼児等、基本的に服の着脱に介助が必要となる者であっても、自ら着脱が可能な衣服を提供することにある。
【課題を解決するための手段】
【００１０】
衣服のデザイン性を可能な限り崩すことなく、衣服の前・後においてリバーシブル機能を有し、かつ、衣服の裏・表においてリバーシブル機能を有する構造を有する衣服とする。
【００１１】
筒状胴部の身幅と筒状胴部と袖の間はラグラン調の縫製部分の幅が広く形成されていることを特徴とする。
【００１２】
衣服の筒状胴部と袖との縫合部分および筒状胴部における前身頃と後身頃との縫合部分が折り伏せ縫いにより縫合されていることを特徴とする。
【考案の効果】
【００１３】
本考案に係る衣服は、前・後そして裏・表においてリバーシブル機能を有する構造となっている。これにより、衣服の前後裏表の区別をすることに困難を伴う発達障害児もしくは発達障碍者、幼児など、衣服の着脱に介助が必要となる者であっても、衣服の前後裏表の判断において混乱することなく着用することを可能としている。
【００１４】
本考案に係る図３の示す衣服１５は、袖１９がラグラン調の為、筒状胴部１８の身幅H３と筒状胴部１８と袖１９の縫製部分１６の幅が広く形成されている。これにより、発達障害児若しくは発達障碍者、幼児など、基本的に衣服の着脱に介助が必要となる者であっても、衣服の着脱が容易となる。
【００１５】
本考案に係る衣服は、衣服の筒状胴部と袖との縫合部分および筒状胴部における前身頃と後身頃との縫合部分が折り伏せ縫いにより縫合されている。これにより、着脱の際に裁断端が着脱者の肌に当たらず、触覚過敏な利用者であっても支障なく安心して使用することができると同時に、デザイン性も確保されている。
【図面の簡単な説明】
【００１６】
【図１】本考案の背景となる既製衣料品の一例となるTシャツを示す正面図
【図２】本考案の背景となる既製衣料品の一例となるセットイン・スリーブのTシャツを示す正面図
【図３】本考案の一実施形態に係る衣服を示す正面図（背面図）
【図４】前記衣服の折り伏せ縫いによる縫合部分を示す部分断面図
【考案を実施するための形態】
【００１７】
以下、本考案の最良の実施形態を図面にもとづいて説明する。尚、以下に述べる実施形態は本考案を具体化した一例に過ぎず、本考案の技術的範囲を限定するものではない。
【００１８】
図３は本考案の一実施形態に係る衣服を示す正面図（背面図）である。この衣服１４は例えば木綿性のように柔らかくて伸縮性のある生地で構成されている。また、上部に襟穴および左右のアームホールを有し、下部に裾開口１７を有する筒状胴部１８と、筒状胴部１８の左右のアームホール１６に縫合された袖１９と、筒状胴部１８の襟穴に縫合された襟２０を備えて構成されている。
【００１９】
図３の衣服１４は、正面の襟１９、袖１８、筒状胴部１７と背面の襟１９、袖
１８、筒状胴部１７の形が同じで前後においてリバーシブルの機能を有する構造となっている。また、筒状胴部１７と袖１８の縫合部分１５と、前身頃と後ろ身頃の縫合部分２０が図４のような折り伏せ縫い２２で縫合されている為、裁断端が裏表のいずれにも現れないので、肌への負担が少なく、裏・表においてもリバーシブルの機能を有する構造となっている。
【００２０】
衣服１５は、袖１９がラグラン調の為、筒状胴部１８の身幅H３と筒状胴部１８と袖１９の縫製部分１６の幅が広く形成されている。これにより、発達障害児若しくは発達障碍者、幼児など、基本的に衣服の着脱に介助が必要となる者であっても、衣服の着脱が容易となる。
【符号の説明】
【００２１】
１５      衣服
１６      アーム縫合部分
１７      裾開口
１８      筒状胴部
１９      袖
２０      襟
２１      脇下縫合部分
Ｈ３      身幅
２２      折り伏せ縫い      
【図１】
0003235053.tif 000003
【図２】
0003235053.tif 000004
【図３】
0003235053.tif 000005
【図４】
0003235053.tif 000006
【手続補正書】
【提出日】令和3年9月28日(2021.9.28)
【手続補正１】
【補正対象書類名】実用新案登録請求の範囲
【補正対象項目名】請求項１
【補正方法】変更
【補正の内容】
【請求項１】
前身頃と後身頃で同じ型紙を使い、袖はラグラン袖の型紙で縫製し、かつ、衣服の筒状胴部と袖との縫製部分および筒状胴部における前身頃と後身頃との縫製部分の縫い代を隠す縫製を施した衣服。